(57)【要約】      （修正有） 【課題】体全体を使ってフォロースルーすることができるゲートボール用スティックを提供する。【解決手段】柄とヘッドをＴ字形に組み合わせ、ヘッドと反対側の柄の一部を構成するエンド側グリップとヘッド側グリップを柄の長手方向に対向させて、その対向部においてヘッドの長さ方向と平行に柄が屈曲自在となるように回転用部材で固着し、その回転用部材の外方に弾性部材を配す。更に、弾性部材の外周にはエンド側グリップを覆うエンド側筒状ケースとヘッド側グリップを覆うヘッド側筒状ケースを端面を突き合わせて、それぞれのグリップに装着するとともに、エンド側筒状ケースとヘッド側筒状ケースとの突き合わされた端面は屈曲方向側の略半周に切り込みを設ける。【選択図】図１
0003166669.tif 000002
【実用新案登録請求の範囲】
【請求項１】
柄とヘッドをＴ字形に組み合わせたゲートボール用スティックにおいて、エンド側グリップとヘッド側グリップを長手方向に対向させて、ヘッドの長さ方向と平行に屈曲自在に回転用部材で固着し、その回転用部材の外方に弾性部材を配し、更に、前記弾性部材の外周にはエンド側グリップとヘッド側グリップを覆う筒状ケースを端面を突き合わせて、それぞれのグリップに装着するとともに、筒状ケースのそれぞれの突き合わされた端面は屈曲方向側の略半周に切り込みを設けたことを特徴とするスティック。
【考案の詳細な説明】
【技術分野】
【０００１】
本願考案はゲートボール用スティックの改良に関する。
【背景技術】
【０００２】
本来、ゲートボール用スティックの柄は、多くは直棒であった。又、正確にボールを打つために、柄のグリップ（握り部）の左手で握る部分と右手で握る部分が互いに打球方向に対して、屈曲するスティックも知られている。（実用新案登録文献1参照）
【先行技術文献】
【特許文献】
【０００３】
【特許文献１】実開平６−７０７５９号公報
【考案の概要】
【考案が解決しようとする課題】
【０００４】
特許文献1に示された打球方向に屈曲するスティックによれば、確かに打球方向の安定性は向上するが、これでもまだ、打球方向の安定性は十分ではなかった。これは、フォロースルーにおいて、右手だけを使って打つことになり左右の両手、両腕と体が一体となって、回転しないためであった。
【０００５】
従って、右打ちのプレーヤーはバックスイングから、ダウンスイング、フォロースルーのすべての動作は右手のみの動きで方向性をコントロールしていたために、十分な方向性がでなかったものと思われる。
さらに、打球の強さも上記したように、右手の力のみで打っていたので、力一杯打つためボールの手前の土を、擦ったり、打球の強弱のコントロールにばらつきが生じていた。
【課題を解決するための手段】
【０００６】
本願考案は、請求項1記載のとおり、柄とヘッドをＴ字形に組み合わせたゲートボール用スティックにおいて、エンド側グリップとヘッド側グリップを長手方向に対向させて、へッドの長さ方向と平行に屈曲自在に回転用部材で固着し、その回転用部材の外方に弾性部材を配し、更に、前記弾性部材の外周にはエンド側グリップとヘッド側グリップを覆う筒状ケース端面を突きあわせて、それぞれのグリップに装着するとともに、筒状ケースのそれぞれの突き合わされた端面は屈曲方向側の略半周に切り込みを設けたことを特徴とするスティックである。
【０００７】
このような構成とすることにより、スティックは、柄の下方が直棒状態から切り込み側の方向に屈曲し、切り込みの無い方向へは直棒状態を維持してボールを打つことができることとなる。
【考案の効果】
【０００８】
本願考案のスティックにより打球時に左右の両手、両腕及び体全体を使って一体的にフォロースルーすることができるため、十分な方向性が得られる。また、打球の強さも弾性部材の打球方向への戻る力と、右手の力の合わさった力で打てるので、ボールの手前の土をたたくことも少なくなり、又打球の強弱のコントロールが容易になった。
【図面の簡単な説明】
【０００９】
【図１】本考案のスティックの正面図。
【図２】グリップの屈曲する部分の正面から見た縦断面図。
【図３】グリップの屈曲した時の縦断面図。
【図４】グリップの屈曲する部分の側面からみた縦断面図。
【図５】グリップの屈曲する部分の他の例を示す図である。（ａ）は柄の方から見た平面図。（ｂ）は（ａ）のＡ―Ａ線断面図。
【図６】弾性部材が板バネである例を示す図。（ａ）は上から見た図、（ｂ）はＢ−Ｂ線断面図。
【考案を実施するための形態】
【００１０】
図を用いて、本願考案を説明する。
以下実施例は、右利きのプレーヤーが使用する場合を例に、説明する。従って、左利きのプレーヤーが使用する場合は図１に示すように柄２の切り込み１１の方向は逆向きとなるように使用する。なお、図示しないが、柄２の一部を途中で切断し、その切断位置の上下において差し込みにより柄２の上下は、円周方向に１８０度の方向が変えられるようにすることで、ヘッド３の両面を打球面として使用することも可能である。
【実施例】
【００１１】
図１は本考案のスティックの正面図である。この図に示すとおり、柄２の上方部のエンド側ケース６とヘッド側ケース７の境目である突き合わされた両端面に外方に両ケース６，７の径の中心部から広がる切り込み１１が設けられている。この切り込み１１は打球方向と反対側の両ケース６,７のそれぞれ付き合わされた端面の半周にかけて設けられており、エンド側ケース６の長さは、プレーヤーの好みによるが、通常は１０〜３０ｃｍの長さで良い。
【００１２】
図２はグリップの屈曲する部分の正面から見た柄２の屈曲する部分の縦断面図を示す。エンドグリップ４は筒状のエンド側ケース６で覆われており、エンドグリップ４に着脱自在に固着されている。一方、ヘッド側グリップ５はヘッド側ケース７に着脱自在に固着されている。エンド側ケース６とヘッド側ケース７は対向しており端面で突き合わされる。突き合わされた端面は筒状の半周に切り込み１１を設け、残りの半周は突き合わされ接触した状態とする。
【００１３】
更に、エンドグリップ４とヘッド側グリップ５はその径方向の中心部を回転用部材８で繋がれる。回転用部材８の回転軸９の軸心は前記エンド側ケース６とヘッド側ケース７の突き合わされた端面と同じ高さの位置に来るように両グリップ４，５と回転用部材８を固着する。両ケース６，７の内周側と両グリップ４，５の外周側の間に空間を作り、回転用部材８の回転軸９の外方を覆うように弾性部材１０であるコイルバネで囲う。
【００１４】
なお、切り込み１１はＶ字型又は曲線の組み合わせでよい。重要なことは、回転用部材８の回転軸９の軸心が、切り込み１１の側面方向からみた略Ｖ字で形成された空間の内側にあることである。この構造により、回転軸９を中心にして切り込み１１の方向に柄が屈曲するのである。又、両グリップ４，５の対向した端面の間には回転用部材８の回転軸９を挟み込む空間があるので屈曲時に両グリップ５，６が干渉することはない。
【００１５】
なお、弾性部材１０はこの実施例では、コイルバネとしたが、このコイルバネに代えて後述する図５に示すように板バネ、棒状バネを回転軸９の軸心の外報である両側に設けても良い。
【００１６】
図３はグリップの屈曲した時の柄２の一部の縦断面図を示す。この図に示したように柄２は回転用部材８の回転軸９の軸心を中心にして回転して屈曲する。そして、切り込み１１はバックスイングされるとエンド側ケース６とヘッド側ケース７の突き合わされた約半周
分の端面が密着し、反対側の残りの半周分の端面が密着状態から、開放状態に変わる。この屈曲された状態の時、弾性部材１０であるコイルバネは、紙面の右側は引っ張力が、左側は圧縮力が働くため、屈曲の力を取り除くと図２のように直棒状態に戻ろうとする。
図４はグリップの屈曲する部分の側面からみた縦断面図である。エンドグリップ４の長手方向に回転用部材８の回転片の一方を、エンドグリップ４の径のほぼ中心部に埋設しピン１４で固着する。他方の回転片は同様にヘッド側グリップ５に埋設する。
【００１７】
この例においては、回転用部材８の回転片の一方を板状とし、他方の回転片を２股状とし、この２股の間に一方の回転片の板を挟み込みピン１４で固着する構造とした。回転片は、打球時の打球方向と直角となる方向へのヘッド３のブレを少なくするため、この２片の挟み込みの隙間を小さくすることによりガタが生じないように固着すると良い。この回転用部材８を囲うように弾性部材１０であるコイルバネを配した。
【００１８】
更にこのコイルバネの外周を両ケース６，７で覆い、この両ケースの半周に亘って切り込み１１が図４の紙面に対し手前または奥側に設けられている。この構造とすることで、紙面に対し手前または奥側に柄２が屈曲することとなる。
【００１９】
図５はグリップの屈曲する部分の他の例を示す図であって、（ａ）は柄の方から見た平面図であり、（ｂ）は（ａ）のＡ―Ａ線断面図である。
回転用部材８は、回転片が図４に示した２股と板状の組み合わせに代えて、同形状の２つの板状回転片を向かい合わせて組み合わせ、回転軸９で固着した例である。
又、この回転用部材８の外方に配した弾性部材１０、１０は板バネを用いたものである。この構造とすることで、図５（ｂ）の紙面に対し柄２が手前または奥側に屈曲すると共に屈曲した柄２は元の直棒状態に戻ろうとすることとなる。
図６は図５における弾性部材１０を板バネ１５に代えた場合の例を示している。
図６（ａ）は上から見た平面図であり、同（ｂ）はＢ−Ｂ線断面図である。
【００２０】
本願考案のゲートボール用スティック１の使い方について以下に記載する、図１に示すとおり、スティック１を振り子のように両手と体を使って動かし、ヘッド３を目標方向に対し振り下ろし、ヘッド３の端面でボール１２を打つ。
まず初めは、エンド側ケース６を左手で握り、動きは固定する。そして、バックスイングの時、スティック１の柄２は、切り込み１１の方向に屈曲することにより、ヘッド側ケース７を右手で握り振り子のようにヘッド３を右手を使って目標方向と反対方向に振り上げる。この時、エンド側ケースは固定されており、回転軸９を中心にヘッド側ケース７よりも下側、即ち、ヘッド３が打球方向と反対側に振り上げられる。
【００２１】
続くダウンスイングで目標方向に対し振り下ろし、ヘッド３は回転軸９の軸心を中心に回転して振り下ろされヘッド３の端面でボール１２を打つ。ダウンスイングの途中において、ヘッド３が真下にきて更にフォロースルーに移った以降は、切り込み１１から屈曲されたスティック１の柄２は、エンド側ケース６とヘッド側ケース７の端面が突き合わされて直棒状態となりフィニッシュまで直棒状態を維持する。
【００２２】
従って、本願考案のスティック１によりフォロースルーからフィニッシュにかけて、左右の両手、両腕及び体全体を使って一体的にフォロースルーすることができるため、十分な打球の方向性が得られる。また、打球の強さも切り込み１１の近傍に設けられた弾性部材の打球方向への戻る力と、右手の力の合わさった力で打てるため、打球の強弱のコントロールを容易にすることができる。
【産業上の利用可能性】
【００２３】
本考案はスポーツ用具の産業界において活用できるものである。
【符号の説明】
【００２４】
１    スティック
２    柄
３    ヘッド
４    エンド側グリップ
５    ヘッド側グリップ
６    エンド側ケース
７    ヘッド側ケース
８    回転用部材
９    回転軸
１０  弾性部材
１１  切り込み
１２  ボール
１３  キャップ
１４  ピン
１５  板バネ
【図１】
0003166669.tif 000003
【図２】
0003166669.tif 000004
【図３】
0003166669.tif 000005
【図４】
0003166669.tif 000006
【図５】
0003166669.tif 000007
【図６】
0003166669.tif 000008
【手続補正書】
【提出日】平成23年1月7日(2011.1.7)
【手続補正１】
【補正対象書類名】明細書
【補正対象項目名】０００６
【補正方法】変更
【補正の内容】
【０００６】
本願考案は、請求項１記載のとおり、柄とヘッドをＴ字形に組み合わせたゲートボール用スティックにおいて、ヘッドと反対側の柄の一部を構成するエンド側グリップとヘッド側グリップを柄の長手方向に対向させて、その対向部においてヘッドの長さ方向と平行に柄が屈曲自在となるように回転用部材で固着し、その回転用部材の外方に弾性部材を配し、更に、前記弾性部材の外周にはエンド側グリップを覆うエンド側筒状ケースとヘッド側グリップを覆うヘッド側筒状ケースを端面を突き合わせて、それぞれのグリップに装着するとともに、エンド側筒状ケースとヘッド側筒状ケースとの突き合わされた端面は屈曲方向側の略半周に切り込みを設けたことを特徴とするスティックである。
【手続補正２】
【補正対象書類名】実用新案登録請求の範囲
【補正対象項目名】請求項１
【補正方法】変更
【補正の内容】
【請求項１】
柄とヘッドをＴ字形に組み合わせたゲートボール用スティックにおいて、ヘッドと反対側の柄の一部を構成するエンド側グリップとヘッド側グリップを柄の長手方向に対向させて、その対向部においてヘッドの長さ方向と平行に柄が屈曲自在となるように回転用部材で固着し、その回転用部材の外方に弾性部材を配し、更に、前記弾性部材の外周にはエンド側グリップを覆うエンド側筒状ケースとヘッド側グリップを覆うヘッド側筒状ケースを端面を突き合わせて、それぞれのグリップに装着するとともに、エンド側筒状ケースとヘッド側筒状ケースとの突き合わされた端面は屈曲方向側の略半周に切り込みを設けたことを特徴とするスティック。